(57)【要約】【課題】            従来、座り時に補助具として、その座り姿勢を正しく安定して保持させ、加えて、その座り時に臀部を上げた状態とすることで、股関節の柔軟性を得るストレッチ効果も得ることができるようになる座り時の宛がい具は存在していなかったという点である。【解決手段】        断面が略Ｌ字状をした基体を有し、その基体の外周に、前記したＬ字状に沿って伸縮性を有する帯材を掛け回し、前記した基体の上面コーナーとその帯材との間に空隙を形成してあることとし、前記した帯材の先端裏面には面状ファスナー等の止着手段を備え、その帯材の先端を基体に対して着脱自在としてあることとし、前記した基体の背面には凹穴部を形成し、帯材のテンション調整部材を介入可能としてあることとし、前記した基体の前端には、ずれ防止用の突片が一体的に延設されていることとし、一対を用い、空隙を形成した帯材部を相互に内側に向け対向させて用いることとする。【選択図】          図１
2008272355.tif 000002
【特許請求の範囲】
【請求項１】
断面が略Ｌ字状をした基体を有し、その基体の外周に、前記したＬ字状に沿って伸縮性を有する帯材を掛け回し、前記した基体の上面コーナーとその帯材との間に空隙を形成してあることを特徴とする座り時の宛がい具。
【請求項２】
前記した帯材の先端裏面には面状ファスナー等の止着手段を備え、その帯材の先端を基体に対して着脱自在としてあることを特徴とする請求項１に記載の座り時の宛がい具。
【請求項３】
前記した基体の背面には凹穴部を形成し、帯材のテンション調整部材を介入可能としてあることを特徴とする請求項１または請求項２に記載の座り時の宛がい具。
【請求項４】
前記した基体の前端には、ずれ防止用の突片が一体的に延設されていることを特徴とする請求項１、請求項２または請求項３に記載の座り時の宛がい具。
【請求項５】
一対を用い、空隙を形成した帯材部を相互に内側に向け対向させて用いることを特徴とする請求項１、請求項２、請求項３または請求項４に記載の座り時の宛がい具。
【発明の詳細な説明】
【技術分野】
【０００１】
本発明は座り時の宛がい具に関し、椅子に座った時や胡坐をかいた時等に臀部や大腿部の外側に宛がい、そのすわり姿勢を安定させ、体重のかかり具合の偏り等を矯正するために使用する座り時の宛がい具に関する。
【背景技術】
【０００２】
従来、座り時に使用される補助具としては座椅子のほか、正座の姿勢を補助する椅子やクッション座布団等種々のものが開発提供されている。
【０００３】
しかしながら、現在椅子への座り時をはじめ胡坐姿勢にあっても使用することができ、強制的に、負担の少ない姿勢を保持させ、姿勢の歪みを矯正することで疲労が少なくなり、加えて、座り時の感触のよさを得られるという座具は存在していない。
【特許文献１】特開２００３−１１６８９４号公報
【発明の開示】
【発明が解決しようとする課題】
【０００４】
本発明が解決しようとする問題点は、従来、座り時に補助具として、その座り姿勢を正しく安定して保持させ、加えて、その座り時に臀部を上げた状態とすることで、股関節の柔軟性を得るストレッチ効果も得ることができるようになる座り時の宛がい具は存在していなかったという点である。
【課題を解決するための手段】
【０００５】
この問題点を解決するために、本発明に係る座り時の宛がい具は断面が略Ｌ字状をした基体を有し、その基体の外周に、前記したＬ字状に沿って伸縮性を有する帯材を掛け回し、前記した基体の上面コーナーとその帯材との間に空隙を形成してあることを特徴とし、前記した帯材の先端裏面には面状ファスナー等の止着手段を備え、その帯材の先端を基体に対して着脱自在としてあることを特徴としている。
【０００６】
また、本発明に係る座り時の宛がい具は前記した基体の背面には凹穴部を形成し、帯材のテンション調整部材を介入可能としてあることを特徴とし、前記した基体の前端には、ずれ防止用の突片が一体的に延設されていることを特徴とし、一対を用い、空隙を形成した帯材部を相互に内側に向け対向させて用いることを特徴としている。
【発明の効果】
【０００７】
本発明に係る座り時の宛がい具は上記のように構成されている。そのため、椅子に座る時や胡坐をかいて座る時に、その座り姿勢を正しく安定させ、臀部を上げた状態とすることで股関節の柔軟性を得るストレッチ効果も得られ、また、使用する各自が自らにあった帯材のテンション力を調整することも可能となり、非常に使い勝手のよいものとなる。
【発明を実施するための最良の形態】
【０００８】
図面として示し、実施例で述べたように構成することで実現した。
【実施例１】
【０００９】
次に、本発明の好ましい実施の一例を図面を参照して説明する。図１は本発明を実施した座り時の宛がい具を示す斜視図、図２は同じく側面図、図３は同じく平面図、図４は同じく正面図、図５は同じく底面図、図６は同じく背面図、図７は同じくＡ−Ａ線に沿った断面図、図８は使用状態を示す図である。
【００１０】
これらの図にあって１は座り時の宛がい具本体を示している。この宛がい具本体１は断面略Ｌ字状をした基体２を有している。この基体２は本実施例にあっては発泡スチロールを用いて成形してあるが、この発泡スチロールに限らず、中空のプラスチックや金属あるいは木材等を用いて成形することが可能で、できれば軽量のものであることが望ましい。
【００１１】
また、この基体２の先端部分には伸縮性を有する布地で成形された袋状部３が嵌装され、着脱自在に備えられている。この袋状部３の底面後端縁には本実施例にあって二つの伸縮性を有する帯材４、４が延設されている。尚、この帯材４、４の延設は帯材４、４の先端を袋状部３の内部にあって縫着等により、固定させた構成とすることもできる。
【００１２】
前記した帯材４、４は基体２の底面から背面を回され、その遊先端を袋状部３の上表面まで導かれる。帯材４、４の遊先端の裏面には面状ファスナー等の止着手段が設けられ、この止着手段によって止着されるが、この止着の際には、帯材４、４と基体２の間にはスペースが生じるように、帯材４、４にはテンション力を与えるものとなっている。
【００１３】
さらに、前記した袋状部３の前端縁には突片５が一体的に延設されている。この突片５はプラスチックシート等のやや硬性を有する素材を布及びネットで被包してあり、その後縁が袋状部３の前端縁に強固に縫着されたもので、使用時における滑り止めの効果を奏するものである。
【００１４】
また、前記した基体２の背面にはハーフパイプ状をした凹穴部６が形成されている。この凹穴部６は帯材４、４により一層のテンション力を与えたい場合、この凹穴部６内にゴムボール等の補助具を入れ、その補助具を介して帯材４、４を掛け回すことで、そのテンション力を強くすることができるものとしている。
【００１５】
本実施例に係る座り時の宛がい具は上記のように構成されている。この実施例では帯材４、４を二枚としているが、勿論これにこだわるものではなく、幅広の一枚ものとしても、あるいは三枚以上とすることも可能で、その素材もゴム製等のものを用いることもできるものとなっている。
【００１６】
さらに、袋状部３と基体２の構成も別物とせず、例えば袋状部３を排除し、基体２の上表面に帯材４、４の遊先端を受け、止着する手段を設けてもよく、帯材４、４を基体２と一体化することもできる。その際、突片６も縫着以外の手段で基体２の前端に具備させることが可能である。
【００１７】
そして、この実施例に係る宛がい具本体１は図８に示すように、一対を対向させて用い、座った時に臀部や大腿部の外側から宛がって使用する。この座り時に、体重で突片６を押さえ込んで宛がい具本体１、１が位置ずれしてしまうことを防止し、テンション力を与えられた帯材４、４によってクッション性を得られるとともに、そのテンション力の強さで臀部を持ち上げる姿勢が保持されることとなって、安定性と悪姿勢の矯正がなされ、股関節に柔軟性を与えるストレッチ効果も得られることとなる。
【産業上の利用可能性】
【００１８】
本発明に係る座り時の宛がい具は上記のように構成されている。前記した凹穴部６は、テンション力の補助具を入れるほか、ポケットとして、小物を収容することも勿論可能であり、また、基体２も円弧状に形成し、帯材４、４を放射状に配備させること等もできるものとなっている。
【図面の簡単な説明】
【００１９】
【図１】本発明を実施した座り時の宛がい具を示す斜視図である。
【図２】側面図である。
【図３】平面図である。
【図４】正面図である。
【図５】底面図である。
【図６】背面図である。
【図７】Ａ−Ａ線に沿った断面図である。
【図８】使用状態を示す図である。
【符号の説明】
【００２０】
１    宛がい具本体
２    基体
３    袋状部
４    帯材
５    突片
６    凹穴部
【図１】
2008272355.tif 000003
【図２】
2008272355.tif 000004
【図３】
2008272355.tif 000005
【図４】
2008272355.tif 000006
【図５】
2008272355.tif 000007
【図６】
2008272355.tif 000008
【図７】
2008272355.tif 000009
【図８】
2008272355.tif 000010